(57)【要約】【課題】帯域の低い有線伝送路を用いた場合に放送の視聴を可能とする。【解決手段】トランスミッタ１０は、アンテナ４０を介してＨＤ解像度デジタル放送信号を受信すると、当該ＨＤ解像度デジタル放送信号を復調し、ＨＤ解像度映像信号を取得し、当該ＨＤ解像度映像信号に対応する解像度を低下させて、ＳＤ解像度映像信号、ＮＴＳＣ映像信号、Ｈ．２６４映像信号を取得する。次に、トランスミッタ１０は、ＳＤ解像度映像信号、ＮＴＳＣ映像信号、Ｈ．２６４映像信号を変調して、ＳＤ解像度デジタル放送信号、アナログ放送信号、ワンセグ放送信号を取得し、電話回線を介して、ＳＤ解像度デジタル放送信号、アナログ放送信号、ワンセグ放送信号を送信する。【選択図】図２
2012023695.tif 000002
【特許請求の範囲】
【請求項１】
デジタル放送信号を受信するアンテナと、
前記アンテナにより受信されたデジタル放送信号を復調して第１の映像信号を取得する復調部と、
前記復調部により取得された前記第１の映像信号に対応する解像度を低下させて第２の映像信号を取得する変換部と、
前記変換部により取得された第２の映像信号を変調して所定形式の放送信号を取得する変調部と、
前記変調部により取得された所定形式の放送信号を有線伝送路へ出力する出力部と、
前記有線伝送路を伝送される所定形式の放送信号を入力する受像装置と
を備える放送伝送システム。
【請求項２】
前記有線伝送路の帯域を測定する測定部を備え、
前記変換部は、前記測定部により測定された有線伝送路の帯域に応じて、前記第１の映像信号に対応する解像度を低下させる請求項１に記載の放送伝送システム。
【請求項３】
前記測定部は、前記受像装置に対して前記有線伝送路を介して測定用のパケットを送信し、
前記受像装置は、前記測定用のパケットを受信した場合に、前記測定部に対して前記有線伝送路を介して応答用のパケットを送信し、
前記測定部は、前記測定用のパケットを送信してから前記応答用のパケットを受信するまでの時間に基づいて、前記有線伝送路の帯域を測定する請求項２に記載の放送伝送システム。
【請求項４】
前記測定部は、複数の受像装置のうち、前記有線伝送路を介する距離が最も長い受像装置へ前記測定用のパケットを送信する請求項３に記載の放送伝送システム。
【請求項５】
前記変換部は、前記第１の映像信号に対応する解像度を低下させて前記受像装置が処理可能な形式の第２の映像信号を取得する請求項１乃至４の何れかに記載の放送伝送システム。
【請求項６】
外部接続されたアンテナにより受信されたデジタル放送信号を復調して第１の映像信号を取得する復調部と、
前記復調部により取得された前記第１の映像信号に対応する解像度を低下させて第２の映像信号を取得する変換部と、
前記変換部により取得された第２の映像信号を変調して所定形式の放送信号を取得する変調部と、
前記変調部により取得された所定形式の放送信号を有線伝送路へ出力する出力部と、
を備えるトランスミッタ。
【請求項７】
トランスミッタにおける放送伝送方法であって、
外部接続されたアンテナにより受信されたデジタル放送信号を復調して第１の映像信号を取得するステップと、
取得された前記第１の映像信号に対応する解像度を低下させて第２の映像信号を取得するステップと、
取得された第２の映像信号を変調して所定形式の放送信号を取得するステップと、
取得された所定形式の放送信号を有線伝送路へ出力するステップと、
を備える放送伝送方法。
【発明の詳細な説明】
【技術分野】
【０００１】
本発明は、家屋内等においてデジタル放送信号を伝送するデジタル放送信号伝送システム、当該放送伝送システムを構成するトランスミッタ、及び、当該トランスミッタにおける放送伝送方法に関する。
【背景技術】
【０００２】
従来、家屋内等において、利用者が地上デジタル放送、放送衛星（ＢＳ）デジタル放送、通信衛星（ＣＳ）デジタル放送等を視聴する場合、アンテナと各部屋のアンテナ端子との間をケーブルで接続し、更に、アンテナ端子と受像機との間を同軸ケーブルで接続する（例えば、特許文献１参照）。
【先行技術文献】
【特許文献】
【０００３】
【特許文献１】特開２００４−２０１２５４号公報
【発明の概要】
【発明が解決しようとする課題】
【０００４】
しかしながら、上述した構成では、アンテナと各部屋のアンテナ端子との間のケーブルがデジタル放送の伝送に十分な帯域を有している必要がある。このため、アンテナと各部屋のアンテナ端子との間を、同軸ケーブル以外の低い帯域の伝送路で接続することはできない。
【０００５】
そこで、本発明は、帯域の低い有線伝送路を用いた場合に放送の視聴を可能とした放送伝送システム、トランスミッタ及び放送伝送方法を提供することを目的とする。
【課題を解決するための手段】
【０００６】
上述した課題を解決するために、本発明は以下のような特徴を有している。本発明の第１の特徴は、放送伝送システム（放送伝送システム１）であって、デジタル放送信号を受信するアンテナ（アンテナ４０）と、前記アンテナにより受信されたデジタル放送信号を復調して第１の映像信号を取得する復調部（復調部１２１）と、前記復調部により取得された前記第１の映像信号に対応する解像度を低下させて第２の映像信号を取得する変換部（変換部１２３）と、前記変換部により取得された第２の映像信号を変調して所定形式の放送信号を取得する変調部（変調部１２４）と、前記変調部により取得された所定形式の放送信号を有線伝送路へ出力する出力部（出力部１２５）と、前記有線伝送路を伝送される所定形式の放送信号を入力する受像装置（デジタル放送受像装置２０−１、アナログ放送受像装置２０−２、ワンセグ放送受像装置２０−３）とを備えることを要旨とする。
【０００７】
このような放送伝送システムは、アンテナによって受信されたデジタル放送信号を復調して第１の映像信号を得た後、当該第１の映像信号に対応する解像度を低下させた第２の映像信号を得る。更に、放送伝送システムは、当該第２の映像信号を変調して所定形式の放送信号を得て、受像装置との間の有線伝送路へ出力する。従って、有線伝送路は、単位時間当たりの情報量が少ない所定形式の放送信号を伝送可能な帯域（伝送路容量）を有していればよく、単位時間当たりの情報量が多いデジタル放送信号を伝送可能な帯域を有する必要はない。従って、帯域の低い有線伝送路を用いた場合にもデジタル放送の視聴が可能となる。
【０００８】
本発明の第２の特徴は、前記有線伝送路の帯域を測定する測定部（測定部１２２）を備え、前記変換部は、前記測定部により測定された有線伝送路の帯域に応じて、前記第１の映像信号に対応する解像度を低下させることを要旨とする。
【０００９】
本発明の第３の特徴は、前記測定部は、前記受像装置に対して前記有線伝送路を介して測定用のパケットを送信し、前記受像装置は、前記測定用のパケットを受信した場合に、前記測定部に対して前記有線伝送路を介して応答用のパケットを送信し、前記測定部は、前記測定用のパケットを送信してから前記応答用のパケットを受信するまでの時間に基づいて、前記有線伝送路の帯域を測定することを要旨とする。
【００１０】
本発明の第４の特徴は、前記測定部は、複数の受像装置のうち、前記有線伝送路を介する距離が最も長い受像装置へ前記測定用のパケットを送信することを要旨とする。
【００１１】
本発明の第５の特徴は、前記変換部は、前記第１の映像信号に対応する解像度を低下させて前記受像装置が処理可能な形式の第２の映像信号を取得することを要旨とする。
【００１２】
本発明の第６の特徴は、トランスミッタであって、外部接続されたアンテナにより受信されたデジタル放送信号を復調して第１の映像信号を取得する復調部と、前記復調部により取得された前記第１の映像信号に対応する解像度を低下させて第２の映像信号を取得する変換部と、前記変換部により取得された第２の映像信号を変調して所定形式の放送信号を取得する変調部と、前記変調部により取得された所定形式の放送信号を有線伝送路へ出力する出力部とを備えることを要旨とする。
【００１３】
本発明の第７の特徴は、トランスミッタにおける放送伝送方法であって、外部接続されたアンテナにより受信されたデジタル放送信号を入力するステップと、入力されたデジタル放送信号を復調して第１の映像信号を取得するステップと、取得された前記第１の映像信号に対応する解像度を低下させて第２の映像信号を取得するステップと、取得された第２の映像信号を変調して所定形式の放送信号を取得するステップと、取得された所定形式の放送信号を有線伝送路へ出力するステップとを備えることを要旨とする。
【発明の効果】
【００１４】
本発明によれば、帯域の低い有線伝送路を用いた場合にデジタル放送の視聴を可能となる。
【図面の簡単な説明】
【００１５】
【図１】本実施形態に係る放送伝送システムの概略構成を示す図である。
【図２】本実施形態に係るトランスミッタの詳細構成を示すブロック図である。
【図３】本実施形態に係る放送伝送システムの動作を示すシーケンス図である。
【発明を実施するための形態】
【００１６】
次に、図面を参照して、本発明の放送伝送システムの実施形態について説明する。具体的には、（１）放送伝送システムの概略構成、（２）トランスミッタの構成、（３）放送伝送システムの動作、（４）作用・効果、（５）その他の実施形態について説明する。以下の実施形態における図面の記載において、同一又は類似の部分には同一又は類似の符号を付している。
【００１７】
（１）放送伝送システムの概略構成
図１を参照して、本実施形態に係る放送伝送システムの概略構成を説明する。図１は、本実施形態に係る放送伝送システム１の概略構成を示す説明図である。図１に示すように、放送伝送システム１は、トランスミッタ１０と、デジタル放送受像装置２０−１、アナログ放送受像装置２０−２、ワンセグメント（ワンセグ）放送受像装置２０−３と、電話回線３０−１、電話回線３０−２、電話回線３０−３、電話回線３０−４と、アンテナ４０とを含んで構成される。放送伝送システム１は、家屋内に構成される。
【００１８】
トランスミッタ１０は、アンテナ４０が接続され、当該アンテナ４０を介してデジタル放送信号を受信する。トランスミッタ１０は、電話回線５０を介して公衆ネットワーク６０に接続される。トランスミッタ１０は、電話回線３０−１を介してデジタル放送受像装置２０−１を接続する。トランスミッタ１０は、電話回線３０−２を介してアナログ放送受像装置２０−２を接続する。トランスミッタ１０は、電話回線３０−３を介してワンセグ放送受像装置２０−３を接続する。トランスミッタ１０は、電話回線３０−４を介して電話機５５を接続する。
【００１９】
（２）トランスミッタの構成
図２は、トランスミッタ１０の詳細構成を示すブロック図である。
【００２０】
図２に示すトランスミッタ１０は、制御部１０２、メモリ１１２、インタフェース（Ｉ／Ｆ）部１１４、Ｉ／Ｆ部１２０を含む。
【００２１】
制御部１０２は、例えばＣＰＵによって構成され、トランスミッタ１０が具備する各種機能を制御する。メモリ１１２は、例えば、ＤＤＲ−ＳＲＡＭであり、トランスミッタ１０が具備する各種機能を実現するために必要な情報を記憶している。
【００２２】
Ｉ／Ｆ部１１４は、電話回線５０に接続される。Ｉ／Ｆ部１１４は、電話機５５が通信中の場合に、当該通信に伴う通信データを中継する機能を有し、電話回線５０を介して公衆ネットワーク６０との間の通信を行う。
【００２３】
Ｉ／Ｆ部１２０は、電話回線３０−１、電話回線３０−２、電話回線３０−３及び電話回線３０−４に接続される。Ｉ／Ｆ部１２０は、電話機５５が通信中の場合に、当該通信に伴う通信データを中継する機能を有し、電話回線３０−４を介して電話機５５との間の通信を行う。また、Ｉ／Ｆ部１２０は、トランスミッタ１０がデジタル放送信号を受信中の場合に、制御部１０２からの放送信号を、電話回線３０−１を介してデジタル放送受像装置２０−１へ送信し、電話回線３０−２を介してアナログ放送受像装置２０−２へ送信し、電話回線３０−３を介してワンセグ放送受像装置２０−３へ送信する。なお、電話回線３０−１、電話回線３０−２及び電話回線３０−３は、通常、アンテナ４０とデジタル放送受像装置２０−１、アナログ放送受像装置２０−２、ワンセグ放送受像装置２０−３との接続に用いられる同軸ケーブルよりも、帯域（伝送路容量）が小さい。
【００２４】
制御部１０２は、復調部１２１、測定部１２２、変換部１２３、変調部１２４及び出力部１２５を含む。
【００２５】
復調部１２１は、アンテナ４０を介して受信されたデジタル放送信号が入力される。本実施形態においては、入力されるデジタル放送信号は、地上デジタル放送、ＢＳデジタル放送、ＣＳデジタル放送の何れかのデジタル放送信号であり、且つ、ＨＤ（High Definition）解像度のデジタル放送信号である。復調部１２１は、ＨＤ解像度デジタル放送信号が入力されると、当該ＨＤ解像度デジタル放送信号を復調し、ＨＤ解像度の映像信号を取得する。
【００２６】
測定部１２２は、電話回線３０−１、電話回線３０−２及び電話回線３０−３の帯域（伝送路容量）を測定する。
【００２７】
具体的には、測定部１２２は、測定用のパケット（例えば、ｐｉｎｇパケット）を、Ｉ／Ｆ部１２０及び電話回線３０−１を介してデジタル放送受像装置２０−１へ送信する。測定用のパケットを受信したデジタル放送受像装置２０−１は、応答用のパケットを、電話回線３０−１を介してトランスミッタ１０へ送信する。測定部１２２は、Ｉ／Ｆ部１２０を介して応答用のパケット（例えば、ｐｉｎｇパケット）を受信する。更に、測定部１２２は、測定用のパケットのデータ長を２倍した値を、測定用のパケットを送信してから応答用のパケットを受信するまでの時間で除算することにより、電話回線３０−１の帯域を算出する。電話回線３０−３の帯域も同様にして算出される。
【００２８】
なお、デジタル放送受像装置２０−１及びワンセグ放送受像装置２０−３は、一般に通信機能を有しているが、アナログ放送受像装置２０−２通信機能を有していない。このため、測定部１２２は、電話回線３０−２の帯域については測定しない。
【００２９】
変換部１２３は、復調部１２１により取得されたＨＤ解像度映像信号に対応する解像度を低下させる。
【００３０】
具体的には、変換部１２３は、ＨＤ解像度映像信号を、電話回線３０−１の帯域で伝送可能であって、且つ、デジタル放送受像装置２０−１において処理可能な形式の解像度の映像信号（ここでは、ＳＤ（Standard Definition）解像度の映像信号とする）に変換する。また、変換部１２３は、ＨＤ解像度映像信号を、アナログ放送受像装置２０−２において処理可能な形式の解像度の映像信号（ここでは、ＮＴＳＣの映像信号とする）に変換する。また、変換部１２３は、ＨＤ解像度映像信号を、電話回線３０−３の帯域で伝送可能であって、且つ、ワンセグ放送受像装置２０−３において処理可能な形式の解像度の映像信号（ここでは、Ｈ．２６４により圧縮したＨ．２６４映像信号）に変換する。
【００３１】
なお、例えば、メモリ１１２には、電話回線を介してトランスミッタ１０に接続されている各放送受像装置（デジタル放送受像装置２０−１、アナログ放送受像装置２０−２、ワンセグ放送受像装置２０−３）の種別を示す種別情報が、各電話回線の識別情報と対応付けて記憶されている。このため、変換部１２３は、種別情報に基づいて、デジタル放送受像装置２０−１において処理可能な形式の解像度の映像信号、アナログ放送受像装置２０−２において処理可能な形式の解像度の映像信号、ワンセグ放送受像装置２０−３において処理可能な形式の解像度の映像信号をそれぞれ認識できる。
【００３２】
変調部１２４は、変換部１２３により取得されたＳＤ解像度映像信号を変調して、ＳＤ解像度デジタル放送信号を取得する。また、変調部１２４は、変換部１２３により取得されたＮＴＳＣ映像信号を変調して、アナログ放送信号を取得する。また、変調部１２４は、変換部１２３により取得されたＨ．２６４映像信号を変調して、ワンセグ放送信号を取得する。
【００３３】
出力部１２５は、変調部１２４により取得されたＳＤ解像度デジタル放送信号を、Ｉ／Ｆ部１２０及び電話回線３０−１を介して、デジタル放送受像装置２０−１へ送信する。また、出力部１２５は、変調部１２４により取得されたアナログ放送信号を、Ｉ／Ｆ部１２０及び電話回線３０−２を介して、アナログ放送受像装置２０−２へ送信する。出力部１２５は、変調部１２４により取得されたワンセグ放送信号を、Ｉ／Ｆ部１２０及び電話回線３０−３を介して、ワンセグ放送受像装置２０−３へ送信する。
【００３４】
なお、上述したように、例えば、メモリ１１２に、デジタル放送受像装置２０−１、アナログ放送受像装置２０−２、ワンセグ放送受像装置２０−３の種別を示す種別情報が、各電話回線の識別情報と対応付けて記憶されている場合には、出力部１２５は、種別情報と電話回線の識別情報との対応付けにより、ＳＤ解像度デジタル放送信号については電話回線３０−１を介して送信し、アナログ放送信号については電話回線３０−２を介して送信し、ワンセグ放送信号については電話回線３０−３を介して送信すべきであることを認識できる。
【００３５】
デジタル放送受像装置２０−１は、受信したＳＤ解像度デジタル放送信号に基づく表示処理を行う。アナログ放送受像装置２０−２は、受信したアナログ放送信号に基づく表示処理を行う。ワンセグ放送受像装置２０−３は、受信したワンセグ放送信号に基づく表示処理を行う。
【００３６】
（３）放送伝送システムの動作
図３は、放送伝送システム１の動作を示すシーケンス図である。
【００３７】
ステップＳ１０１において、トランスミッタ１０は、アンテナ４０を介してＨＤ解像度デジタル放送信号を受信する。
【００３８】
ステップＳ１０２において、トランスミッタ１０は、受信したＨＤ解像度デジタル放送信号を復調し、ＨＤ解像度映像信号を取得する。
【００３９】
ステップＳ１０３において、トランスミッタ１０は、ＨＤ解像度映像信号に対応する解像度を低下させて、ＳＤ解像度映像信号、ＮＴＳＣ映像信号、Ｈ．２６４映像信号を取得する。
【００４０】
ステップＳ１０４において、トランスミッタ１０は、ＳＤ解像度映像信号を変調して、ＳＤ解像度デジタル放送信号を取得する。また、トランスミッタ１０は、ＮＴＳＣ映像信号を変調して、アナログ放送信号を取得する。また、トランスミッタ１０は、Ｈ．２６４映像信号を変調して、ワンセグ放送信号を取得する。
【００４１】
ステップＳ１０５において、トランスミッタ１０は、電話回線３０−１を介して、デジタル放送受像装置２０−１へＳＤ解像度デジタル放送信号を送信する。デジタル放送受像装置２０−１は、ＳＤ解像度デジタル放送信号を受信する。更に、ステップＳ１０６において、デジタル放送受像装置２０−１は、受信したＳＤ解像度デジタル放送信号に基づく表示処理を行う。
【００４２】
ステップＳ１０７において、トランスミッタ１０は、電話回線３０−２を介して、アナログ放送受像装置２０−２へアナログ放送信号を送信する。アナログ放送受像装置２０−２は、アナログ放送信号を受信する。更に、ステップＳ１０８において、アナログ放送受像装置２０−２は、受信したアナログ放送信号に基づく表示処理を行う。
【００４３】
ステップＳ１０９において、トランスミッタ１０は、電話回線３０−３を介して、ワンセグ放送受像装置２０−３へワンセグ放送信号を送信する。ワンセグ放送受像装置２０−３は、ワンセグ放送信号を受信する。更に、ステップＳ１１０において、ワンセグ放送受像装置２０−３は、受信したワンセグ放送信号に基づく表示処理を行う。
【００４４】
（４）作用・効果
本実施形態の放送伝送システム１では、トランスミッタ１０は、同軸ケーブルよりも帯域の小さい電話回線３０−１、電話回線３０−２及び電話回線３０−３を介して、デジタル放送受像装置２０−１、アナログ放送受像装置２０−２及びワンセグ放送受像装置２０−３を接続する。トランスミッタ１０は、アンテナ４０を介してＨＤ解像度デジタル放送信号を受信すると、当該ＨＤ解像度デジタル放送信号を復調し、ＨＤ解像度映像信号を取得し、当該ＨＤ解像度映像信号に対応する解像度を低下させて、ＳＤ解像度映像信号、ＮＴＳＣ映像信号、Ｈ．２６４映像信号を取得する。次に、トランスミッタ１０は、ＳＤ解像度映像信号を変調して、ＳＤ解像度デジタル放送信号を取得し、ＮＴＳＣ映像信号を変調して、アナログ放送信号を取得し、Ｈ．２６４映像信号を変調して、ワンセグ放送信号を取得する。更に、トランスミッタ１０は、電話回線３０−１を介して、デジタル放送受像装置２０−１へＳＤ解像度デジタル放送信号を送信し、電話回線３０−２を介して、アナログ放送受像装置２０−２へアナログ放送信号を送信し、電話回線３０−３を介して、ワンセグ放送受像装置２０−３へワンセグ放送信号を送信する。
【００４５】
従って、電話回線３０−１、電話回線３０−２及び電話回線３０−３は、ＳＤ解像度デジタル放送信号、アナログ放送信号及びワンセグ放送信号を伝送可能な帯域を有していればよく、単位時間当たりの情報量が多いＨＤ解像度のデジタル放送信号を伝送可能な帯域を有していなくても、デジタル放送の視聴が可能となる。
【００４６】
また、トランスミッタ１０は、電話回線３０−１及び電話回線３０−３の大意湖を測定することで、当該帯域に応じた適切な解像度のデジタル放送信号を生成して送信することができる。
【００４７】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００４８】
上述した実施形態では、トランスミッタ１０は、通信機能を有するデジタル放送受像装置２０−１との間の電話回線３０−１の帯域と、通信機能を有するワンセグ放送受像装置２０−３との間の電話回線３０−２の帯域とを測定した。しかし、トランスミッタ１０は、最も長い電話回線を介して接続される、通信機能を有する放送受像装置を特定し、当該放送受像装置との間の電話回線の帯域のみを測定するようにしてもよい。
【００４９】
この場合、トランスミッタ１０は、ＨＤ解像度映像信号を、測定した電話回線の帯域で伝送可能であって、且つ、放送受像装置において処理可能な形式の解像度の映像信号に変換する。
【００５０】
最も長い電話回線は、最も帯域が低いと見なし得る。従って、最も長い電話回線を介して接続される、通信機能を有する放送受像装置との間の当該電話回線の帯域のみを測定することで、測定に伴う処理負担を軽減させることができ、更には、測定した帯域を他の電話回線の帯域とみなしても、各電話回線に放送信号を伝送させる際に、通信障害が生じることはない。
【００５１】
また、上述した実施形態では、トランスミッタ１０と各放送受像装置との間が電話回線で接続されるようにしたが、ＬＡＮケーブル等、同軸ケーブルよりも帯域が低い他の有線伝送路が用いられる場合にも、同様に本発明を適用できる。
【００５２】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００５３】
１…放送伝送システム、１０…トランスミッタ、２０−１…デジタル放送受像装置、２０−２…アナログ放送受像装置、２０−３…ワンセグ放送受像装置、３０−１、３０−２、３０−３、３０−４、５０…電話回線、４０…アンテナ、５５…電話機、６０…公衆ネットワーク、１０２…制御部、１１２…メモリ、１１４、１２０…Ｉ／Ｆ部、１２１…復調部、１２２…測定部、１２３…変換部、１２４…変調部、１２５…出力部
【図１】
2012023695.tif 000003
【図２】
2012023695.tif 000004
【図３】
2012023695.tif 000005